(57)【要約】【課題】  広告料が無料である点を維持しつつ、旅館，ホテル，料理店等の商品及び／またはサービスの提供業者である依頼主の負担のより一層の軽減を図る。【解決手段】  運営者Ｂが複数の依頼主Ｈ（Ｈ１〜Ｈｎ）に係る広告を無料で掲載した紙媒体Ｍを顧客Ｃ（Ｃ１〜Ｃｘ）に販売しての販売促進を行うためのもので、広告は各依頼主が夫々指定した施設で通常価格より安い割引価格で顧客が享受可能な特定の商品及び／またはサービスに係る複数の特別プランＰの情報を含み、顧客Ｃが施設に行った際、持参した紙媒体Ｍにより予約を照合して該当する特別プランＰの割引価格での売上に係る金額を計上して登録し、所定の集計期間内に売り上げられた依頼主毎特別プラン総売上額（Ｕ１〜Ｕｎ），特別プラン総売上額（Ｕ）とから、媒体総売上額（Ｗ）の内、一部の売上額から依頼主キックバック金額（Ｋａ１〜Ｋａｎ）を算出して、依頼主Ｈにキックバックする。【選択図】図１
2017078887.tif 000002
【特許請求の範囲】
【請求項１】
運営者が複数の依頼主に係る広告を無料で掲載した紙媒体を顧客に販売して上記依頼主の事業に係る商品及び／またはサービスの販売促進を行うための販売促進システムであって、
上記広告は、該広告が掲載され販売された紙媒体を上記各依頼主が確認できることを条件に、該各依頼主が夫々指定した施設で通常価格より安い割引価格で顧客が享受可能な特定の商品及び／またはサービスに係る複数の特別プランの情報を含み、上記紙媒体を、これに固有の媒体識別ＩＤを付するとともに、所定の販売価格で販売して販売促進を行うための販売促進システムにおいて、
上記特別プランに係る割引価格を含む情報を上記媒体識別ＩＤに対応させて記憶する特別プラン情報記憶手段と、
上記紙媒体に掲載された何れかの特別プランに係る顧客の予約を上記媒体識別ＩＤに対応させて登録する予約登録手段と、
顧客が上記予約登録手段に登録した特別プランを該当する施設で享受するために当該施設に行った際、該顧客が持参した紙媒体の媒体識別ＩＤの入力に基づいて上記予約登録手段に登録された予約であるか否かを照合する予約照合手段と、
該予約照合手段による照合結果が当該予約であるとき上記特別プラン情報記憶手段に記憶した該当する特別プランの割引価格での売り上げがあったとして該売上に係る金額を計上して登録する計上登録手段と、
所定の販売期間内に売り上げられた紙媒体の媒体総売上額（Ｗ）が登録される媒体総売上額登録手段と、
上記計上登録手段に登録され所定の集計期間内に売り上げられた各特別プランの割引価格による各依頼主毎の総売上額を依頼主毎特別プラン総売上額（Ｕ１，Ｕ２・・・・Ｕｉ・・・・Ｕｎ）として算出するとともに所定の集計期間内に売り上げられた各特別プランの割引価格による特別プランの総売上額を特別プラン総売上額（Ｕ）として算出する特別プラン売上額算出手段と、
上記媒体総売上額登録手段に登録された媒体総売上額（Ｗ）の内、一部の売上額を各依頼主毎に配分してキックバックする依頼主キックバック金額（Ｋａ１，Ｋａ２，・・・・Ｋａｉ・・・・Ｋａｎ）を算出するキックバック金額算出手段とを備えたことを特徴とする販売促進システム。
【請求項２】
上記特別プラン売上額算出手段が算出した特別プラン総売上額及び依頼主毎特別プラン総売上額から各依頼主毎の特別プラン売上比率（Ｒ１，Ｒ２・・・・Ｒｉ・・・・Ｒｎ）を算出する特別プラン売上比率算出手段を備え、
上記キックバック金額算出手段は、上記媒体総売上額（Ｗ）に予め定めた所定の依頼主定数（Ｅａ）を乗じた売上額から、上記特別プラン売上比率（Ｒ１，Ｒ２・・・・Ｒｉ・・・・Ｒｎ）に応じて依頼主キックバック金額（Ｋａ１，Ｋａ２，・・・・Ｋａｉ・・・・Ｋａｎ）を算出することを特徴とする請求項１記載の販売促進システム。
【請求項３】
上記複数の依頼主を、特定の事項への寄与度に応じて複数グループ（１〜ｍ）に分類し、上記依頼主定数Ｅａを、上記複数グループ毎に異なる値（Ｅａ１〜Ｅａｍ）に設定し、当該異なる値（Ｅａ１〜Ｅａｍ）を対応するグループの依頼主キックバック金額の算出に適用することを特徴とする請求項２記載の販売促進システム。
【請求項４】
上記依頼主定数Ｅａを、Ｅａ＝０．１５〜０．３５にしたことを特徴とする請求項２または３記載の販売促進システム。
【請求項５】
上記キックバック金額算出手段は、上記紙媒体への広告の掲載を上記依頼主に対して勧誘する営業を行った１もしくは２以上の営業者について、上記媒体総売上額登録手段に登録された媒体総売上額（Ｗ）の内、一部の売上額を該営業者に配分してキックバックする営業者キックバック金額（Ｋｂ）を算出する機能を備えたことを特徴とする請求項１乃至４何れかに記載の販売促進システム。
【発明の詳細な説明】
【技術分野】
【０００１】
本発明は、旅館，ホテル，料理店等の商品及び／またはサービスの提供業者を依頼主とし、運営者がこれらの複数の依頼主に係る広告を無料で掲載した情報誌等の紙媒体を販売して依頼主の事業に係る商品及び／またはサービスの販売促進を行う販売促進システムに関する。
【背景技術】
【０００２】
従来、この種の販売促進システムとしては、例えば、特開２００７−０４８２４２号公報（特許文献１）に掲載されたものが知られている。この販売促進システムは、運営者が複数の依頼主に係る広告を無料で掲載した紙媒体としての出版物を顧客に販売し、依頼主の事業に係る商品及び／またはサービスの販売促進を行う。広告は、広告が掲載され販売された出版物を各依頼主が確認できることを条件に、各依頼主が夫々指定した施設で通常価格より安い割引価格、例えば、５０％以上の割引価格で顧客が享受可能な複数の特別プランの情報を含んでいる。そして、この出版物を、所定の販売価格で販売する。
【０００３】
出版物を購入した顧客は、特別プランの利用を決定すると、予め、例えばインターネットを介して接続可能な利用登録システムで、該当する特別プランに係る顧客の予約を行い、利用当日に、対応する施設に出版物を持参して提示し、特別プランに係る商品及び／またはサービスを享受する。これにより、広告出版物への広告掲載は無料でなされるから、依頼主においては広告宣伝費用の負担が削減されるとともに、顧客においては通常価格より安い割引価格で商品及び／またはサービスを享受して体得できるので、旅館，ホテル，料理店等の商品及び／またはサービスの提供業者において、新規顧客の獲得や再利用顧客の増加を促進させ、事業の発展，向上に寄与することができる。
【先行技術文献】
【特許文献】
【０００４】
【特許文献１】特開２００７−０４８２４２号公報
【発明の概要】
【発明が解決しようとする課題】
【０００５】
ところで、この従来の販売促進システムにおいては、旅館，ホテル，料理店等の商品及び／またはサービスの提供業者である依頼主は、広告料は無料とはいっても、例えば５０％以上の割引価格で利用できる特別プランを提供することになるので、その負担が多少なりともあり、必ずしも普及が図られていないという問題があった。
本発明は上記の問題点に鑑みて為されたもので、広告料が無料である点を維持しつつ、旅館，ホテル，料理店等の商品及び／またはサービスの提供業者である依頼主の負担のより一層の軽減を図った販売促進システムを提供することを目的とする。
【課題を解決するための手段】
【０００６】
このような目的を達成するため、本発明の販売促進システムは、
運営者が複数の依頼主に係る広告を無料で掲載した紙媒体を顧客に販売して上記依頼主の事業に係る商品及び／またはサービスの販売促進を行うための販売促進システムであって、
上記広告は、該広告が掲載され販売された紙媒体を上記各依頼主が確認できることを条件に、該各依頼主が夫々指定した施設で通常価格より安い割引価格で顧客が享受可能な特定の商品及び／またはサービスに係る複数の特別プランの情報を含み、上記紙媒体を、これに固有の媒体識別ＩＤを付するとともに、所定の販売価格で販売して販売促進を行うための販売促進システムにおいて、
上記特別プランに係る割引価格を含む情報を上記媒体識別ＩＤに対応させて記憶する特別プラン情報記憶手段と、
上記紙媒体に掲載された何れかの特別プランに係る顧客の予約を上記媒体識別ＩＤに対応させて登録する予約登録手段と、
顧客が上記予約登録手段に登録した特別プランを該当する施設で享受するために当該施設に行った際、該顧客が持参した紙媒体の媒体識別ＩＤの入力に基づいて上記予約登録手段に登録された予約であるか否かを照合する予約照合手段と、
該予約照合手段による照合結果が当該予約であるとき上記特別プラン情報記憶手段に記憶した該当する特別プランの割引価格での売り上げがあったとして該売上に係る金額を計上して登録する計上登録手段と、
上記計上登録手段に登録され所定の集計期間内に売り上げられた各特別プランの割引価格による各依頼主毎の総売上額を依頼主毎特別プラン総売上額（Ｕ１，Ｕ２・・・・Ｕｉ・・・・Ｕｎ）として算出するとともに所定の集計期間内に売り上げられた各特別プランの割引価格による特別プランの総売上額を特別プラン総売上額（Ｕ）として算出する特別プラン売上額算出手段と、
上記媒体総売上額登録手段に登録された媒体総売上額（Ｗ）の内、一部の売上額を各依頼主毎に配分してキックバックする依頼主キックバック金額（Ｋａ１，Ｋａ２，・・・・Ｋａｉ・・・・Ｋａｎ）を算出するキックバック金額算出手段とを備えた構成としている。
【０００７】
これにより、運営者が、旅館，ホテル，料理店等の商品及び／またはサービスの提供業者を依頼主として、各依頼主が夫々指定した施設で通常価格より安い割引価格で顧客が享受可能な特定の商品及び／またはサービスに係る複数の特別プランの情報を含む広告を募り、運営者は、この複数の依頼主に係る広告を無料で掲載した例えば出版物等の紙媒体を所定の販売価格で販売する。紙媒体を購入した顧客は、特別プランの利用を決定すると、予め、予約登録手段に、特別プラン情報記憶手段に記憶された何れかの特別プランに係る顧客の予約を登録する。
【０００８】
この状態で、利用当日に、顧客が登録手段に登録した特別プランを享受するために該当する施設に行った際、依頼主は、顧客が持参した紙媒体の媒体識別ＩＤの入力に基づいて予約照合手段により予約登録手段に登録された予約であるか否かを照合する。この予約照合手段による照合結果が当該予約であるときは、特別プラン情報記憶手段に記憶した該当する特別プランに係る割引価格の金員が売り上がったとして、計上登録手段は、対応する金額を計上して登録する。
【０００９】
そして、所定の販売期間及び所定の集計期間が過ぎたならば、媒体総売上額登録手段に、所定の販売期間内に売り上げられた紙媒体の媒体総売上額（Ｗ）が、例えば、運営者による手入力により登録される。また、特別プラン売上額算出手段は、計上登録手段に登録され所定の販売期間内に売り上げられた各特別プランの割引価格による各依頼主毎の総売上額を依頼主毎特別プラン総売上額（Ｕ１，Ｕ２・・・・Ｕｉ・・・・Ｕｎ）として算出するとともに、所定の販売期間内に売り上げられた各特別プランの割引価格による特別プランの総売上額を特別プラン総売上額（Ｕ）として算出する。次に、キックバック金額算出手段は、媒体総売上額登録手段に登録された媒体総売上額（Ｗ）の内、一部の売上額を各依頼主毎に配分してキックバックする依頼主キックバック金額（Ｋａ１，Ｋａ２，・・・・Ｋａｉ・・・・Ｋａｎ）を算出する。その後、運営者は、適時に適宜の支払い方法により、キックバック金額（Ｋａ１，Ｋａ２，・・・・Ｋａｉ・・・・Ｋａｎ）を対応する依頼主に支払う。ここで、キックバックとは、「売上割戻」や「リベート」とも呼ばれ、各依頼主に支払う報酬（割戻金，報奨金，奨励金）のことをいう。
【００１０】
これにより、広告出版物への広告掲載は無料でなされるから、依頼主においては広告宣伝費用の負担が削減されるとともに、顧客においては通常価格より安い割引価格で商品及び／またはサービスを享受して体得できるので、旅館，ホテル，料理店等の商品及び／またはサービスの提供業者において、新規顧客の獲得や再利用顧客の増加を促進させ、事業の発展，向上に寄与することができる。また、各依頼主に、キックバック金額（Ｋ１，Ｋ２，・・・・Ｋｉ・・・・Ｋｎ）を支払うことができるので、広告料が無料である点に加えて、旅館，ホテル，料理店等の商品及び／またはサービスの提供業者である依頼主の負担をより一層軽減することができる。また、キックバック金額を自動計算するので、処理を円滑にすることができる。
【００１１】
そして、必要に応じ、上記特別プラン売上額算出手段が算出した特別プラン総売上額及び依頼主毎特別プラン総売上額から各依頼主毎の特別プラン売上比率（Ｒ１，Ｒ２・・・・Ｒｉ・・・・Ｒｎ）を算出する特別プラン売上比率算出手段を備え、
上記キックバック金額算出手段は、上記媒体総売上額（Ｗ）に予め定めた所定の依頼主定数（Ｅａ）を乗じた売上額から、上記特別プラン売上比率（Ｒ１，Ｒ２・・・・Ｒｉ・・・・Ｒｎ）に応じて依頼主キックバック金額（Ｋａ１，Ｋａ２，・・・・Ｋａｉ・・・・Ｋａｎ）を算出する構成としている。依頼主の特別プラン売上比率に応じて依頼主キックバック金額を算出するので、公正な分配を行うことができる。
【００１２】
また、必要に応じ、上記複数の依頼主を、特定の事項への寄与度に応じて複数グループ（１〜ｍ）に分類し、上記依頼主定数Ｅａを、上記複数グループ毎に異なる値（Ｅａ１〜Ｅａｍ）に設定し、当該異なる値（Ｅａ１〜Ｅａｍ）を対応するグループの依頼主キックバック金額の算出に適用する構成としている。例えば、特定事項が、運営者や顧客にとって何らかの得がある内容である場合には、その寄与度の高い依頼主に対して依頼主定数を他に比較して高く設定し、依頼主キックバック金額を他よりも多く配分することができる。そのため、依頼主の特定の事項への寄与度を向上させることができるとともに、本システムへの参加意欲を向上させることができる。
【００１３】
更に、必要に応じ、上記依頼主定数Ｅａを、Ｅａ＝０．１５〜０．３５にした構成としている。望ましくは、Ｅａ＝０．２〜０．３である。運営者にとって採算が取れる範囲において、依頼主への還元をできるだけ多くして依頼主の負担をより一層軽減することができる。
【００１４】
更にまた、必要に応じ、上記キックバック金額算出手段は、上記紙媒体への広告の掲載を上記依頼主に対して勧誘する営業を行った１もしくは２以上の営業者について、上記媒体総売上額登録手段に登録された媒体総売上額（Ｗ）の内、一部の売上額を該営業者に配分してキックバックする営業者キックバック金額（Ｋｂ）を算出する機能を備えた構成としている。紙媒体への広告の掲載の営業を行った営業者に対しても、営業者キックバック金額（Ｋｂ）を還元でき、それだけ、意欲向上を図ることができる。
【発明の効果】
【００１５】
本発明によれば、広告出版物等の紙媒体への広告掲載は無料でなされるから、依頼主においては広告宣伝費用の負担が削減されるとともに、顧客においては通常価格より安い割引価格で商品及び／またはサービスを享受して体得できるので、旅館，ホテル，料理店等の商品及び／またはサービスの提供業者において、新規顧客の獲得や再利用顧客の増加を促進させ、事業の発展，向上に寄与することができる。また、各依頼主に、キックバック金額（Ｋ１，Ｋ２，・・・・Ｋｉ・・・・Ｋｎ）を支払うことができるので、広告料が無料である点に加えて、旅館，ホテル，料理店等の商品及び／またはサービスの提供業者である依頼主の負担をより一層軽減することができる。また、キックバック金額を自動計算するので、処理を円滑にすることができる。
【図面の簡単な説明】
【００１６】
【図１】本発明の実施の形態に係る販売促進システムを用いた運用フローを示す図である。
【図２】本発明の実施の形態に係る販売促進システムの運用において用いられる紙媒体の例を示す図である。
【図３】本発明の実施の形態に係る販売促進システムの構成を示すブロック図である。
【図４】本発明の実施の形態に係る販売促進システムの運用過程を示すフローチャートである。
【図５】本発明の実施の形態に係る販売促進システムの処理を示すフローチャートである。
【発明を実施するための形態】
【００１７】
以下、添付図面に基づいて本発明の実施の形態に係る販売促進システムについて詳細に説明する。
図１乃至図３には、本発明の実施の形態に係る販売促進システムＳを示している。この販売促進システムＳは、運営者Ｂ若しくは運営者Ｂと契約した関連機関が運営するウエヴサイトのサーバを備えたホストコンピュータの機能で実現され、運営者Ｂが、旅館，ホテル，料理店等の商品及び／またはサービスの提供業者である複数の依頼主Ｈ（Ｈ１，Ｈ２，・・・・Ｈｉ・・・・Ｈｎ）に係る広告を無料で掲載した紙媒体Ｍを顧客Ｃ（Ｃ１，Ｃ２，・・・・Ｃｉ・・・・Ｃｘ）に販売して、依頼主Ｈ（Ｈ１〜Ｈｎ）の事業に係る商品及び／またはサービスの販売促進を行うためのシステムである。
【００１８】
紙媒体Ｍは、例えば、図２に示すように、情報誌等の冊子型のものであり、依頼主Ｈ（Ｈ１〜Ｈｎ）の広告が掲載されている。そして、広告には、この広告が掲載され販売された紙媒体Ｍを各依頼主Ｈ（Ｈ１〜Ｈｎ）が確認できることを条件に、各依頼主Ｈ（Ｈ１〜Ｈｎ）が夫々指定した施設で通常価格より安い割引価格で顧客Ｃ（Ｃ１〜Ｃｘ）が享受可能な特定の商品及び／またはサービスに係る複数の特別プランＰの情報を含んでいる。また、この紙媒体Ｍには、固有の識別番号としての媒体識別ＩＤ（図中「ＩＤ」と表示）が付されている。媒体識別ＩＤは、文字列及びバーコード等で特定される。そして、紙媒体Ｍは、所定の販売価格が定められて販売される。販売価格は、基本的には定額であるが、購入数量や購入予約等の条件に応じて割引価格を設定することができる。
【００１９】
特別プランＰには、利用可能期間が定められるとともに、紙媒体Ｍには、販売期間が定められる。利用可能期間と販売期間は必ずしも一致しなくても良い。一般には、利用可能期間の期限は販売期間の期限よりも後の日にちに設定される。後述の所定の集計期間は、利用可能期間と同じであっても良く、また、異なっていても良い。実施の形態では、利用可能期間と集計期間とを同じにしている。
【００２０】
温泉旅館やホテルの例を挙げれば、紙媒体Ｍの発行は、最大４回／年とし、販売期間を、３ヶ月とする。紙媒体Ｍの販売価格は、１万円／１冊とし、１冊につき４人まで利用可とする。特別プランＰの利用可能期間は、３ヶ月とし、１施設当たり２回まで利用可能とする。また、特別プランＰは、例えば、１人当たり１泊２食で１万円以上のところ、５０％以上の割引価格とした宿泊プランとする。また、特別プランＰは、年末年始など繁忙期は対象外とする。これらの条件については、ここで挙げた条件に限定されない。
【００２１】
本販売促進システムＳは、図３に示すように、特別プランＰに係る割引価格を含む情報を媒体識別ＩＤに対応させて記憶する特別プラン情報記憶手段１と、紙媒体Ｍに掲載された何れかの特別プランＰに係る顧客Ｃ（Ｃ１〜Ｃｘ）の予約を媒体識別ＩＤに対応させて登録する予約登録手段２とを備えている。予約内容は、旅館の例では、特別プランの種類，宿泊日，部屋の種類，人数等である。この予約登録は、例えば、顧客のパソコンによりインターネットを通じて、運営者Ｂの運営するサーバに対して行う。また、顧客Ｃ（Ｃ１〜Ｃｘ）が依頼主Ｈ（Ｈ１〜Ｈｎ）に直接電話をして予約を行うことがあるが、その場合には、依頼主Ｈ（Ｈ１〜Ｈｎ）の施設に備えられた依頼主のパソコンにより入力することができる。
【００２２】
また、本販売促進システムＳは、顧客Ｃ（Ｃ１〜Ｃｘ）が上記予約登録手段２に登録した特別プランＰを該当する施設で享受するために当該施設に行った際、顧客Ｃ（Ｃ１〜Ｃｘ）が持参した紙媒体Ｍの媒体識別ＩＤの入力に基づいて予約登録手段２に登録された予約であるか否かを照合する予約照合手段３と、予約照合手段３による照合結果が当該予約であるとき特別プラン情報記憶手段１に記憶した該当する特別プランＰの割引価格での売り上げがあったとしてその売上に係る金額を計上して登録する計上登録手段４とを備えている。予約照合手段３への入力は、施設に備えられた依頼主のパソコンにより例えばスキャナで媒体識別ＩＤのバーコードを読み込む等して行う。
【００２３】
更に、本販売促進システムＳは、所定の販売期間内に売り上げられた紙媒体Ｍの媒体総売上額（Ｗ）が登録される媒体総売上額登録手段５を備えている。この媒体総売上額（Ｗ）は、運営者Ｂが本屋などの売上額を集計し、運営者のパソコンから手入力で入力する。そして、本販売促進システムＳは、計上登録手段４に登録され所定の集計期間内に売り上げられた各特別プランＰの割引価格による各依頼主Ｈ（Ｈ１〜Ｈｎ）毎の総売上額を依頼主毎特別プラン総売上額（Ｕ１，Ｕ２・・・・Ｕｉ・・・・Ｕｎ）として算出するとともに所定の集計期間内に売り上げられた各特別プランＰの割引価格による特別プランＰの総売上額を特別プラン総売上額（Ｕ）として算出する特別プラン売上額算出手段６と、特別プラン売上額算出手段６が算出した特別プラン総売上額（Ｕ）及び依頼主毎特別プラン総売上額（Ｕ１，Ｕ２・・・・Ｕｉ・・・・Ｕｎ）から各依頼主Ｈ（Ｈ１〜Ｈｎ）毎の特別プラン売上比率（Ｒ１，Ｒ２・・・・Ｒｉ・・・・Ｒｎ）を算出する特別プラン売上比率算出手段７とを備えている。所定の集計期間は、特別プランＰの利用可能期間と同じであっても良く、また、異なっていても良い。実施の形態では、利用可能期間と集計期間とを同じにしている。
【００２４】
即ち、
Ｕ＝Ｕ１＋Ｕ２＋・・・＋Ｕｉ＋・・・＋Ｕｎ
【００２５】
Ｒ１＝Ｕ１／Ｕ
Ｒ２＝Ｕ２／Ｕ
：
Ｒｉ＝Ｕｉ／Ｕ
：
Ｒｎ＝Ｕｎ／Ｕ
になる。
【００２６】
そしてまた、本販売促進システムＳは、媒体総売上額登録手段５に登録された媒体総売上額（Ｗ）の内、一部の売上額を各依頼主Ｈ（Ｈ１〜Ｈｎ）毎に配分してキックバックする依頼主キックバック金額（Ｋａ１，Ｋａ２，・・・・Ｋａｉ・・・・Ｋａｎ）を算出するキックバック金額算出手段８を備えている。ここで、キックバックとは、「売上割戻」や「リベート」とも呼ばれ、各依頼主Ｈ（Ｈ１〜Ｈｎ）等に支払う報酬（割戻金，報奨金，奨励金）のことをいう。詳しくは、キックバック金額算出手段８は、媒体総売上額（Ｗ）に予め定めた所定の依頼主定数（Ｅａ）を乗じた売上額から、特別プラン売上比率（Ｒ１，Ｒ２・・・・Ｒｉ・・・・Ｒｎ）に応じて依頼主キックバック金額（Ｋａ１，Ｋａ２，・・・・Ｋａｉ・・・・Ｋａｎ）を算出する機能を備えている。
【００２７】
即ち、
Ｋａ１＝Ｅａ×Ｗ×Ｒ１
Ｋａ２＝Ｅａ×Ｗ×Ｒ２
：
Ｋａｉ＝Ｅａ×Ｗ×Ｒｉ
：
Ｋａｎ＝Ｅａ×Ｗ×Ｒｎ
になる。
【００２８】
ここで、依頼主定数（Ｅａ）は、Ｅａ＝０．１５〜０．３５（１５％〜３５％）に設定される。望ましくは、Ｅａ＝０．２〜０．３（２０％〜３０％）である。
実施の形態では、複数の依頼主Ｈ（Ｈ１〜Ｈｎ）を、特定の事項への寄与度に応じて複数グループ（１〜ｍ）に分類し、依頼主定数（Ｅａ）を、複数グループ毎に異なる値（Ｅａ１〜Ｅａｍ）に設定し、当該異なる値（Ｅａ１〜Ｅａｍ）を対応するグループの依頼主キックバック金額の算出に適用する構成としている。
【００２９】
詳しくは、例えば、特定事項が、運営者Ｂや顧客Ｃ（Ｃ１〜Ｃｘ）にとって何らかの得がある内容である場合には、その寄与度の高い依頼主Ｈ（Ｈ１〜Ｈｎ）に対して依頼主定数（Ｅａ）を他に比較して高く設定し、依頼主キックバック金額を他よりも多く配分することができるようにしている。そのため、依頼主Ｈ（Ｈ１〜Ｈｎ）の特定の事項への寄与度を向上させることができるとともに、本システムへの参加意欲を向上させることができる。実施の形態では、特定事項として、依頼主Ｈ（Ｈ１〜Ｈｎ）が、建設会社と依頼主Ｈ（Ｈ１〜Ｈｎ）の施設の改良工事、例えば、施設内をバリアフリーにする工事について、５年以内に行うことを契約した場合として定め、一般の依頼主定数（Ｅａ）を（Ｅａ１），契約した場合の依頼主定数（Ｅａ）を（Ｅａ２）として、Ｅａ１＝０．２，Ｅａ２＝０．３に定めている。従って、上記依頼主定数（Ｅａ）は、依頼主Ｈ（Ｈ１〜Ｈｎ）により異なり、Ｅａ１＝０．２，Ｅａ２＝０．３の何れかの値となる。
【００３０】
また、キックバック金額算出手段８は、紙媒体Ｍへの広告の掲載を依頼主Ｈ（Ｈ１〜Ｈｎ）に対して勧誘する営業を行った１もしくは２以上の営業者について、媒体総売上額登録手段５に登録された媒体総売上額（Ｗ）の内、一部の売上額を該営業者に配分してキックバックする営業者キックバック金額（Ｋｂ）を算出する機能を備えている。キックバック金額算出手段８は、媒体総売上額（Ｗ）に予め定めた所定の営業者定数（Ｅｂ）を乗じた売上額を営業者キックバック金額（Ｋｂ）として算出する。実施の形態では、営業者は１つであり、Ｋｂ＝０．２としている。複数ある場合には、按分することができる。
【００３１】
即ち、
Ｋｂ＝Ｅｂ×Ｗ
になる。
【００３２】
従って、本実施の形態に係る販売促進システムＳによれば、以下のように運用される。図１及び図４に示すように、運営者Ｂが自ら若しくは営業者を通じて、旅館，ホテル，料理店等の商品及び／またはサービスの提供業者を依頼主Ｈ（Ｈ１〜Ｈｎ）として、各依頼主Ｈ（Ｈ１〜Ｈｎ）が夫々指定した施設で通常価格より安い割引価格で顧客Ｃ（Ｃ１〜Ｃｘ）が享受可能な特定の商品及び／またはサービスに係る複数の特別プランＰの情報を含む広告を募り（Ｓ１０１）、運営者Ｂは、この複数の依頼主Ｈ（Ｈ１〜Ｈｎ）に係る広告を無料で掲載した例えば情報誌等の冊子型の紙媒体Ｍ（図２）を作成し、所定の販売価格で販売する（Ｓ１０２）。顧客Ｃ（Ｃ１〜Ｃｘ）は、本屋などの販売店や、インターネット販売などを通じて紙媒体Ｍを購入する（Ｓ１０３）。
【００３３】
紙媒体Ｍを購入した顧客Ｃ（Ｃ１〜Ｃｘ）は、特別プランＰの利用を決定すると、予め、予約登録手段２に、特別プラン情報記憶手段１に記憶された何れかの特別プランＰに係る顧客Ｃ（Ｃ１〜Ｃｘ）の予約を登録する（Ｓ１０３）。この予約登録は、インターネットなどのウエヴサイトを通じて、運営者Ｂの運営するサーバに対して行う。また、顧客Ｃ（Ｃ１〜Ｃｘ）が依頼主Ｈ（Ｈ１〜Ｈｎ）に直接電話をして予約を行うことがあるが、その場合には、依頼主Ｈ（Ｈ１〜Ｈｎ）が予約登録手段２に予約を登録する。
【００３４】
この状態で、図１及び図５に示すように、利用当日に、顧客Ｃ（Ｃ１〜Ｃｘ）が登録手段に登録した特別プランＰを享受するために該当する施設に行った際（Ｓ２０１）、依頼主Ｈ（Ｈ１〜Ｈｎ）はパソコンに顧客Ｃ（Ｃ１〜Ｃｘ）が持参した紙媒体Ｍの媒体識別ＩＤを入力すると、この入力に基づいて予約照合手段３は、予約登録手段２に登録された予約であるか否かを照合する（Ｓ２０２，Ｓ２０３）。この予約照合手段３による照合結果が当該予約であるときは（Ｓ２０３Ｙｅｓ）、特別プラン情報記憶手段１に記憶した該当する特別プランＰに係る割引価格の金員が売り上がったとして、計上登録手段４は、対応する金額を計上して登録する（Ｓ２０４）。
【００３５】
そして、図５に示すように、所定の販売期間及び所定の集計期間が過ぎたならば（Ｓ２０５Ｙｅｓ）、媒体総売上額登録手段５に、所定の販売期間内に売り上げられた紙媒体Ｍの媒体総売上額（Ｗ）が、例えば、運営者Ｂによる手入力により登録される（Ｓ２０６）。また、特別プラン売上額算出手段６は、計上登録手段４に登録され所定の集計期間内に売り上げられた各特別プランＰの割引価格による各依頼主Ｈ（Ｈ１〜Ｈｎ）毎の総売上額を依頼主毎特別プラン総売上額（Ｕ１，Ｕ２・・・・Ｕｉ・・・・Ｕｎ）として算出するとともに、所定の集計期間内に売り上げられた各特別プランＰの割引価格による特別プランＰの総売上額を特別プラン総売上額（Ｕ）として算出する（Ｓ２０７）。
【００３６】
次に、特別プラン売上比率算出手段７が、特別プラン総売上額（Ｕ）及び依頼主毎特別プラン総売上額（Ｕ１，Ｕ２・・・・Ｕｉ・・・・Ｕｎ）から各依頼主毎の特別プラン売上比率（Ｒ１，Ｒ２・・・・Ｒｉ・・・・Ｒｎ）を算出する（Ｓ２０８）。
【００３７】
それから、キックバック金額算出手段８は、媒体総売上額登録手段５に登録された媒体総売上額（Ｗ）の内、一部の売上額を各依頼主Ｈ（Ｈ１〜Ｈｎ）毎に配分してキックバックする依頼主キックバック金額（Ｋａ１，Ｋａ２，・・・・Ｋａｉ・・・・Ｋａｎ）を算出する（Ｓ２０９）。この際、依頼主定数（Ｅａ）は、依頼主Ｈ（Ｈ１〜Ｈｎ）により異なり、Ｅａ１＝０．２，Ｅａ２＝０．３の何れかの値となる。
【００３８】
また、キックバック金額算出手段８は、紙媒体Ｍへの広告の掲載を依頼主Ｈ（Ｈ１〜Ｈｎ）に対して勧誘する営業を行った営業者について、媒体総売上額（Ｗ）に予め定めた所定の営業者定数（Ｅｂ）を乗じた売上額を営業者キックバック金額（Ｋｂ）として算出する（Ｓ２０９）。
【００３９】
その後、運営者Ｂは、適時に適宜の支払い方法により、キックバック金額（Ｋａ１，Ｋａ２，・・・・Ｋａｉ・・・・Ｋａｎ）を対応する依頼主Ｈ（Ｈ１〜Ｈｎ）に支払う（Ｓ２１０）。また、営業者キックバック金額（Ｋｂ）を営業者に支払う（Ｓ２１０）。これにより、広告出版物への広告掲載は無料でなされるから、依頼主Ｈ（Ｈ１〜Ｈｎ）においては広告宣伝費用の負担が削減されるとともに、顧客Ｃ（Ｃ１〜Ｃｘ）においては通常価格より安い割引価格で商品及び／またはサービスを享受して体得できるので、旅館，ホテル，料理店等の商品及び／またはサービスの提供業者において、新規顧客Ｃの獲得や再利用顧客Ｃの増加を促進させ、事業の発展，向上に寄与することができる。また、各依頼主Ｈ（Ｈ１〜Ｈｎ）に、キックバック金額（Ｋ１，Ｋ２，・・・・Ｋｉ・・・・Ｋｎ）を支払うことができるので、広告料が無料である点に加えて、旅館，ホテル，料理店等の商品及び／またはサービスの提供業者である依頼主Ｈ（Ｈ１〜Ｈｎ）の負担をより一層軽減することができる。また、キックバック金額を自動計算するので、処理を円滑にすることができる。
【００４０】
更にまた、依頼主キックバック金額（Ｋａ１〜Ｋａｎ）は、依頼主Ｈ（Ｈ１〜Ｈｎ）の特別プラン売上比率（Ｒ１〜Ｒｎ）に応じて算出されているので、公正な分配を行うことができる。また、この場合、依頼主キックバック金額（Ｋａ１〜Ｋａｎ）は、依頼主定数（Ｅａ）をＥａ１＝０．２，Ｅａ２＝０．３の何れかの値にし、依頼主Ｈ（Ｈ１〜Ｈｎ）の特定の事項への寄与度を加味して算出されているので、依頼主Ｈ（Ｈ１〜Ｈｎ）の負担をより一層軽減することができ、本システムへの参加意欲を向上させることができる。更に、依頼主定数（Ｅａ）は、Ｅａ＝０．１５〜０．３５の範囲なので、運営者Ｂにとって採算が取れる範囲において、依頼主Ｈ（Ｈ１〜Ｈｎ）への還元をできるだけ多くして依頼主の負担をより一層軽減することができる。更にまた、紙媒体Ｍへの広告の掲載の営業を行った営業者に対しても、営業者キックバック金額（Ｋｂ）を還元でき、それだけ、意欲向上を図ることができる。
【００４１】
尚、上記実施の形態において、依頼主定数（Ｅａ）や営業者定数（Ｅｂ）等の数値は、上述した数値に限定されるものではなく、適宜変更して差支えない。また、紙媒体Ｍの形態も適宜変更して差支えない。
【符号の説明】
【００４２】
Ｓ  販売促進システム
Ｂ  運営者
Ｈ（Ｈ１〜Ｈｎ）  依頼主
Ｃ（Ｃ１〜Ｃｘ）  顧客
Ｍ  紙媒体
Ｐ  特別プラン
ＩＤ  媒体識別ＩＤ
１  特別プラン情報記憶手段
２  予約登録手段
３  予約照合手段
４  計上登録手段
５  媒体総売上額登録手段
６  特別プラン売上額算出手段
７  特別プラン売上比率算出手段
８  キックバック金額算出手段
（Ｗ）  媒体総売上額
（Ｕ１，Ｕ２・・・・Ｕｉ・・・・Ｕｎ）  依頼主毎特別プラン総売上額
（Ｒ１，Ｒ２・・・・Ｒｉ・・・・Ｒｎ）  特別プラン売上比率
（Ｋａ１，Ｋａ２，・・・・Ｋａｉ・・・・Ｋａｎ）  依頼主キックバック金額
（Ｅａ），（Ｅａ１），（Ｅａ２）  依頼主定数
（Ｋｂ）  営業者キックバック金額
（Ｅｂ）  営業者定数
【図１】
2017078887.tif 000003
【図２】
2017078887.tif 000004
【図３】
2017078887.tif 000005
【図４】
2017078887.tif 000006
【図５】
2017078887.tif 000007